(57)【特許請求の範囲】
【請求項１】
断熱箱体内に冷凍室と冷蔵室を区画形成すると共に、前記冷凍室内には自動製氷機を設置し、前記冷蔵室内には当該自動製氷機へ給水するための給水タンクを配設して成る冷蔵庫において、
前記給水タンクは、上面に開口したタンク本体と、このタンク本体の上面開口を閉塞するカバーと、このカバーに形成された凹陥部と、この凹陥部の底面に形成された注入口と、この注入口を開閉自在に閉塞する蓋部材とを備え、この蓋部材は、前記カバーに回動自在に枢支されると共に、前記凹陥部の内面形状に沿った凹陥形状を呈していることを特徴とする冷蔵庫。
【発明の詳細な説明】
【０００１】
【発明の属する技術分野】
本発明は、冷凍室内に自動製氷機を備えた冷蔵庫に関するものである。
【０００２】
【従来の技術】
従来よりこの種冷蔵庫は、例えば実公平６−１２３０１号公報（Ｆ２５Ｄ２３／００）に示される如く断熱箱体内に冷凍室と冷蔵室が構成されているが、近年では使用者の利便性を向上させるために、冷凍室内には常時氷を生成して貯える自動製氷機が設置される場合が多い。
【０００３】
この自動製氷機は冷蔵室内に配設される給水タンクから給水され、冷凍室内の冷気を用いて製氷を行うものであるが、製氷によって給水タンク内の水が空となった場合、給水タンクを冷蔵室内から取り出して注水する必要が生じる。
【０００４】
【発明が解決しようとする課題】
しかしながら、従来の給水タンクの注入口はねじ込み式のキャップにて塞がれていたため、開閉が面倒なものとなっていた。そこで、係るキャップを廃止して、開閉自在の蓋にて注入口を塞ごうとすると、今度は持ち運びの際に蓋とタンクの隙間から水が漏れだしてしまう問題が生じる。
【０００５】
本発明は、係る従来の技術的課題を解決するために成されたものであり、自動製氷機に給水する給水タンクの取扱性を改善した冷蔵庫を提供するものである。
【０００６】
【課題を解決するための手段】
本発明の冷蔵庫は、断熱箱体内に冷凍室と冷蔵室を区画形成すると共に、冷凍室内には自動製氷機を設置し、冷蔵室内には当該自動製氷機へ給水するための給水タンクを配設して成るものであって、給水タンクは、上面に開口したタンク本体と、このタンク本体の上面開口を閉塞するカバーと、このカバーに形成された凹陥部と、この凹陥部の底面に形成された注入口と、この注入口を開閉自在に閉塞する蓋部材とを備え、この蓋部材は、カバーに回動自在に枢支されると共に、凹陥部の内面形状に沿った凹陥形状を呈しているものである。
【０００７】
本発明によれば、断熱箱体内に冷凍室と冷蔵室を区画形成すると共に、冷凍室内には自動製氷機を設置し、冷蔵室内には当該自動製氷機へ給水するための給水タンクを配設して成る冷蔵庫において、給水タンクを、上面に開口したタンク本体と、このタンク本体の上面開口を閉塞するカバーと、このカバーに形成された凹陥部と、この凹陥部の底面に形成された注入口と、この注入口を開閉自在に閉塞する蓋部材とを備えて構成し、この蓋部材は、カバーに回動自在に枢支されると共に、凹陥部の内面形状に沿った凹陥形状を呈するようにしたので、給水タンクが空となって冷蔵室から取り出す際には、凹陥形状の蓋部材内に手指を挿入して引っかけ、手前に引くことにより、容易に給水タンクを引き出すことができるようになる。
【０００８】
そして、蓋部材を回動させて注入口を開放し、水をタンク本体内に補充することができるので、蓋部材の開閉操作も容易となり、注入作業性が改善される。また、補充後に蓋部材を閉めて持ち運ぶ際にも、蓋部材はカバーの凹陥部の内面に沿って位置し、注入口を閉塞しているので、注入口から搬送時の揺れなどによって水が漏れてしまうことも防止できるようになる。
【０００９】
これにより、自動製氷機用の給水タンクの取扱性が著しく改善され、利便性が向上するものである。
【００１０】
【発明の実施の形態】
次に、図面に基づき本発明の実施形態を詳述する。図１は本発明の冷蔵庫の正面図、図２は断熱扉を除く冷蔵庫の正面図、図３は容器などを取り外した同じく断熱扉を除く冷蔵庫の正面図、図４は本発明の冷蔵庫の縦断側面図、図５は冷蔵庫のもう一つの縦断側面図、図６は冷蔵庫の更にもう一つの縦断側面図である。
【００１１】
冷蔵庫１は鋼板製の外箱２と、ＡＢＳなどの硬質樹脂製の内箱３間に発泡ポリウレタン等の断熱材４を現場発泡方式にて充填して成る前面開口の断熱箱体６から構成されている。この断熱箱体６の庫内は、上仕切壁８、中仕切壁７及び下仕切壁９によって上下四室に区画されており、上仕切壁８の上方を冷蔵室１１、下仕切壁９の下方を野菜室１２、上仕切壁８と中仕切壁７の間を氷温室１０、中仕切壁７と下仕切壁９の間を冷凍室１３としている。また、中仕切壁７と下仕切壁９の中間における開口縁には仕切前部材１５が取り付けられている。
【００１２】
そして、冷蔵室１１の前面開口は観音開き式の断熱扉１４、１４によって開閉自在に閉塞されると共に、冷凍室１３及び野菜室１２は、上面開口の容器１６Ａ、１７Ａ、１８Ａを備えた引き出し式の断熱扉１６、１７（冷凍室１３はこれら上下二段）、１８によりそれぞれ開閉自在に閉塞されている。また、氷温室１０も、上面開口の容器１９Ａを備えた引き出し式の断熱扉１９により開閉自在に閉塞されている。
【００１３】
また、冷凍室１３の上左隅部には自動製氷機２１が設置されている。更に、冷凍室１３の奥部は仕切板２２及び冷却器前板２３にて前後に区画され、冷却器前板２３の後側に冷却室２４が区画形成されており、この冷却室２４内に冷却器２６が縦設されている。この冷却器２６の中央上方には送風機２９が設けられており、冷却器２６の下方には除霜ヒータ３１が設けられている。
【００１４】
そして、仕切板２２の上部及び中央部には複数の冷凍室吐出口１３Ａ・・が形成されると共に、仕切板２２の下部左右には冷凍室吸込口１３Ｂ、１３Ｂが、また、これらの間の下部中央部にも冷凍室吸込口１３Ｃ、１３Ｃが隣接してそれぞれ形成されている。
【００１５】
一方、冷却器前板２３は仕切板２２の後側に少許間隔を存して設けられており、その上部には送風機２９のファン３２が臨むグリル２３Ａが形成されている。ファン３２の前側の仕切板２２と冷却器前板２３間の空間は前記冷凍室１３Ａ・・・に連通している。また、冷却器前板２３の下部中央部には開口２３Ｂが形成され、前記冷凍室吸込口１３Ｃ、１３Ｃと冷却室２４内に連通している。また、冷凍室吸込口１３Ｂ、１３Ｂは冷却器前板２３の下端を経て冷却室２４の最下部に連通している。
【００１６】
ここで、前記冷却器２６は、図１１〜図１３に示す如く所定間隔を存して複数枚設けられ、上下方向に延在したアルミニウム薄板製のフィン２７・・・と、これらフィン２７・・・を貫通する冷媒配管２８から成る所謂プレートフィン型の熱交換器であり、冷却器２６の下端部のフィン密度（ピッチ）は疎とされ、更に、中央部を除く左右前後部のフィン密度も疎とされている。
【００１７】
即ち、各フィン２７・・・の上下寸法は、二枚乃至三枚のフィン２７・・が連続して短く、それらを挟んだ左右のフィン２７が長く構成され、中央部においては短いフィン２７の上下寸法が一枚置きに更に短くなっている。また、左右に位置する各フィン２７・・・の前後幅も一枚置きに狭く構成されている。
【００１８】
これによって、冷却器２６の下縁部にはフィン密度疎の領域２６Ａが、また、中央部には領域２６Ａから連続して立ち上がり、上下における中央部よりやや下まで延びるフィン密度疎の領域２６Ｂが、また、左右の前後縁（冷気が流通する上下方向に延在するフィン２７の縁部が位置する冷却器２６の外側部分）にもフィン密度疎の領域２６Ｃ・・・が構成されている。そして、領域２６Ｂは前記送風機２９の下方に対応すると共に、前記開口２３Ｂはこの領域２６Ｂの前側に対応している（図８）。
【００１９】
送風機２９の上方には中仕切壁７内に挿入された成形断熱材３８の後部を上下に貫通するかたちで案内ダクト３９が形成されており、この案内ダクト３９の下部はファン３２前方の空間に連通し、上部には成形断熱材４１内に構成された分岐ダクト４２が連通接続されている。そして、この分岐ダクト４２は冷蔵室用バッフル４３と氷温室用バッフル４４を備えたモータダンパー４６を経て、一方は冷蔵室背面ダクト４７に、他方は氷温室ダクト４８に連通されている。そして、前記冷蔵室用バッフル４３は冷蔵室背面ダクト４７の入口に、氷温室用バッフル４４は氷温室ダクト４８の入口に位置している。
【００２０】
冷蔵室１１の奥部には内箱３背面と間隔を存して背面ダクト板４９が取り付けられており、この背面ダクト板４９と内箱３間に上下に延在する前記冷蔵室背面ダクト４７が形成されている。背面ダクト板４９の前面には冷蔵室吐出口１１Ａが形成されている。また、冷蔵室１１内には棚５１・・が複数段架設されている。また、冷蔵室１１背面の背面ダクト板４９の右下隅部には冷蔵室後吸込口６１が形成されており、この冷蔵室後吸込口６１は氷温室１０の背面板６２の後側の成形断熱材３８、４１側方に形成された帰還ダクト６３上部に連通している。
【００２１】
更に、冷蔵室１１の左下隅部には前記自動製氷機２１に給水するための給水タンク５２が収納されている。この給水タンク５２は、図１７〜図１９に示す如く前後に細長く上面に開口したタンク本体５３と、このタンク本体５３の上面開口を閉塞するカバー５４と、このカバー５４に取り付けられた蓋部材５６などから構成されている。
【００２２】
この場合、カバー５４の前部には矩形状の凹陥部５４Ａが形成されており、この凹陥部５４Ａの底面にはこれも矩形状の注入口５７が形成されている。そして、前記蓋部材５６は後縁両側のヒンジ部５６Ａ、５６Ａを、注入口５７後方のカバー５４に回動自在に枢支されて当該注入口５７を開閉自在に閉塞する。
【００２３】
この蓋部材５６は凹陥部５４Ａの内面形状に沿った凹陥形状を呈しており、それによって、蓋部材５６には充分に手指がかけられるように構成されている。また、カバー５４の後部には吸水筒部５４Ｂがタンク本体５３内に降下しており、この吸水筒部５４Ｂはカバー５４後端において後方に開口する連結部５４Ｃに連通している。
【００２４】
係る給水タンク５２を設置する際には前方から冷蔵室１１内に挿入し、その奥部に設けられた給水パイプ５９に連結部５４Ｃを着脱自在に連結させる。この給水パイプ５９は前記自動製氷機２１に連通しており、タンク本体５３内の水は吸水筒部５４Ｂから吸い上げられて連結部５４Ｃ、給水パイプ５９を経て自動製氷機２１に供給され、そこで製氷運転が行われる。生成された氷は冷凍室１３内に貯えられることになる。
【００２５】
係る製氷運転によってタンク本体５３内の水が無くなった場合には、給水タンク５２を冷蔵室１１内から引き出すものであるが、この場合は凹陥した蓋部材５６内に手指を挿入して引っかけ、手前に引くことにより、容易に給水タンク５２を引き出すことができる。
【００２６】
そして、蓋部材５６を手前から上に回動させて注入口５７を開放し、水をタンク本体５３内に補充するものであるが、この場合にも蓋部材５６は容易に開閉できるので、注入作業も容易となる。また、補充後は蓋部材５６を閉めて持ち運ぶことになるが、この場合、蓋部材５６はカバー５４の凹陥部５４Ａの内面に沿って位置しており、注入口５７を閉塞しているので（図１９）、注入口５７から搬送時の揺れなどによって水が漏れてしまうことも防止できる。
【００２７】
一方、前記上仕切壁８は図１４、図１５に示す如く硬質樹脂製の上板６６、下板６７と、これら上板６６の下面に沿って設けられた成形断熱材６８とから構成されており、この成形断熱材６８と下板６７間に前記氷温室ダクト４８が構成されている。氷温室ダクト４８は下板６７上面に立設された袋小路状の隔壁６９により後部の入口４８Ａから前方に拡開するように構成されており、その中途部及び前部に位置する下板６７には氷温室吐出口７１・・・が複数形成されている。
【００２８】
また、隔壁６９の前方及び右方の下板６７には隔壁７２〜７４が立設されており、これらによって氷温室ダクト４８の外側の上仕切壁８内には、二条の冷蔵室吸込ダクト７７、７８が左右に並んで構成されている。そして、上板６６の前部には左右に冷蔵室前吸込口７９、８１が形成されており、左側の冷蔵室前吸込口７９は左側の冷蔵室吸込ダクト７７の入口部７７Ａに、また、右側の冷蔵室前吸込口８１は右側の冷蔵室吸込ダクト７８の入口部７８Ａにそれぞれ連通している。また、各冷蔵室吸込ダクト７７、７８の後端は前記帰還ダクト６３に連通している。
【００２９】
この場合、左側の冷蔵室吸込ダクト７７の通路断面積は右側の冷蔵室吸込ダクト７８の通路断面積よりも大きく形成されており、吸込部７７Ａも吸込部７８Ａよりも拡張されている（図１５）。ここで、各冷蔵室吸込ダクト７７、７８は氷温室ダクト４８の前側から右側に迂回して形成されているため、左側の冷蔵室吸込ダクト７７の通路長は右側の冷蔵室吸込ダクト７８の通路長よりも長くなっている。
【００３０】
また、隔壁７２と隔壁６９間には幅の狭い連通路８３が形成されており、この連通路８３によって氷温室ダクト４８の前端と冷蔵室吸込ダクト７７の吸込部７７Ａとは連通されている。そして、氷温室１０の背面板６２右側には氷温室吸込口８４が形成され、帰還ダクト６３に連通されている。
【００３１】
他方、成形断熱材３８の右部には野菜室ダクト部材８６の上端が連結され、冷却室２４の右側を下方に降下しており、その内部に野菜室ダクト８７を構成している。この野菜室ダクト８７の上端は前記帰還ダクト６３に連通すると共に、下端は野菜室１２右奥上部の野菜室吐出口８８にて開口している。
【００３２】
下仕切壁９内には野菜室吸込ダクト９１が形成されており、この野菜室吸込ダクト９１は野菜室１２の奥部上面に開口した野菜室吸込口９２にて開口し、且つ、冷却室２４の下端部に連通されている。
【００３３】
前記仕切前部材１５は図１６に示す如く硬質樹脂製の本体９３と、この本体９３内に設けられた成形断熱材９４と、鋼板製の前板９６と、その裏面に取り付けられた結露防止用の高温冷媒配管９７から構成されており、本体９３の下壁は前部９３Ａが低く後部９３Ｂが段差状に高くなった形状を呈している。
【００３４】
また、この前部９３Ａの後端にはその下面よりも少許上の位置に、後部９３Ｂの下側に間隔を存して後方に突出する係合部９３Ｃが一体に形成されている。そして、この係合部９３Ｃにはシール部材９８の基部９８Ａが後方から係合して取り付けられ、その軟質ヒレ片９８Ｂは前下方に突出する。
【００３５】
このシール部材９８の軟質ヒレ片９８Ｂは断熱扉１７が閉じられた状態で、容器１７Ａの前縁後面に密着してシールするものであるが、この場合、シール部材９８の基部９８Ａの下面は本体９３の前部９３Ａの下面と略面一とされている。即ち、シール部材９８の基部９８Ａ、或いは、その取付部分（仕切前部材１５に形成される）が下方に突出していないので、容器１７Ａが引っかかることも無く、その分容器１７Ａの上下寸法を拡大して有効容積を拡張することができるようになる。
【００３６】
尚、係る構造は他の仕切壁７、８、９においても同様に形成されているものである。また、１０４は冷蔵室１１内の温度を検出する冷蔵室温度センサーであり、背面ダクト板４９に取り付けられ、１０６は氷温室１０内の温度を検出する氷温室温度センサーであり、下板６７に取り付けられている。
【００３７】
更に、断熱箱体６の下部には機械室９９が構成されており、この機械室９９内後部には前記冷却器２６と周知の冷凍サイクルを構成する圧縮機１０１や図示しない凝縮器、機械室送風機などが設置されている。また、断熱扉１８の下側には機械室９９の前端に位置してキックプレート１０２が取り付けられており、このキックプレート１０２には機械室９９内に通風するための吸気口１０３が穿設されている。
【００３８】
以上の構成で、圧縮機１０１及び送風機２９が運転されると、冷却器２６にて冷却された冷却室２４内の冷気は送風機２９のファン３２により上方に吸い上げられ、前方の冷凍室吐出口１３Ａ・・より冷凍室１３内に吹き出される。そして、冷凍室１３内の容器１６Ａ、１７Ａ内を循環して冷却した後、冷気は下部の冷凍室吸込口１３Ｂ、１３Ｂ、１３Ｃ、１３Ｃから冷却室２４内に帰還する。これによって、冷凍室１３は所定の冷凍温度（−２０℃程）に維持される。尚、圧縮機１０１及び送風機２９の運転は冷凍室１３内の温度を検出する冷凍室温度センサーに基づいて制御される。
【００３９】
ここで、冷凍室吸込口１３Ｂ、１３Ｂから流入した冷気は冷却器２６の下端の領域２６Ａから冷却器２６内に流入し、各フィン２７・・・間を上昇するが、冷凍室吸込口１３Ｃ、１３Ｃから流入した冷気は冷却器２６の上下における中央部よりやや下側の領域２６Ｂから冷却器２６内に流入する。
【００４０】
後述する如く野菜室吸込ダクト９１からは冷蔵室１１、氷温室１０及び野菜室１２内を循環して来た湿気の多い冷気が冷却器２６の下端の領域２６Ａから流入するため、冷却器２６の領域２６Ａには多量の霜が付着成長するが、冷凍室吸込口１３Ｃ、１３Ｃから流入した冷気はその上方（下流側）から冷却器２６のフィン密度疎の領域２６Ｂに流入し、その後フィン密度が密の送風機２９下方の領域に導入されるので、領域２６Ｂから流入する冷気は領域２６Ａに成長した霜によって流通を阻害されることは無い。
【００４１】
また、冷却器２６の左右の前後縁（冷気が流通する上下方向に延在するフィン２７の縁部が位置する冷却器２６の外側部分）にもフィン密度疎の領域２６Ｃ・・・が構成されているので、仮に領域２６Ａが霜の成長によって閉塞されてしまった場合にも、領域２６Ｃが存在する分、霜閉塞は遅れる。
【００４２】
従って、係る場合にも領域２６Ｃから冷気を冷却器２６内に導入し、熱交換させることができるようになるので、総じてフィン２７と流通冷気との熱交換を維持し、冷却器２６の冷却能力を著しく改善することができるようになる。
【００４３】
また、送風機２９に対応する冷却器２６の中央部以外の左右において領域２６Ｃを構成しているので、冷却器２６において冷気が最も流通する部分のフィン密度が前述の如く密となる。従って、霜の無い、或いは、少ない状態における熱交換効率を維持しつつ、霜が成長して来た場合には、領域２６Ｂや２６Ｃから前述の如く冷気の流通を維持し、熱交換を確保することができるようになる。
【００４４】
送風機２９より吹き出された冷気の一部は案内ダクト３９に流入し、分岐ダクト４２で二方向に分流された後、一方はモータダンパー４６の冷蔵室用バッフル４３を経て冷蔵室背面ダクト４７に流入する。冷蔵室背面ダクト４７に流入した冷気は冷蔵室吐出口１１Ａ・・・から冷蔵室１１内に吹き出され、内部を循環して冷却した後、冷蔵室後吸込口６１及び冷蔵室前吸込口７９、８１に流入する。
【００４５】
また、分岐ダクト４２で分流された他方はモータダンパー４６の氷温室用バッフル４４を経て氷温室ダクト４８に流入する。氷温室ダクト４８に流入した冷気は氷温室吐出口７１・・から氷温室１０内に吹き出され、内部を循環して冷却した後、氷温室吸込口８４に流入する。
【００４６】
モータダンパー４６は前記冷蔵室温度センサー１０４の出力に基づいてバッフル４３を開閉し、冷蔵室１１内を＋５℃程の冷蔵温度に維持する。また、氷温室温度センサー１０６の出力に基づいてバッフル４４を開閉し、氷温室１０内の容器１９Ａ内を例えば０℃〜−３℃程の氷温領域に維持する。
【００４７】
前記冷蔵室後吸込口６１と氷温室吸込口８４に流入した冷気は、そのまま帰還ダクト６３内に流入するが、冷蔵室前吸込口７９と８１から流入した冷気は、冷蔵室吸込ダクト７７と７８内をそれぞれ通って帰還ダクト６３に流入する。また、氷温室ダクト４８内に流入した冷気の一部（少量）は、氷温室１０内を通ること無く、連通路８３を通って直接冷蔵室吸込ダクト７７内に流入し、吸込口７９からの冷気と合流して帰還ダクト６３に流入することになる。
【００４８】
ここで、前述の如く左側の冷蔵室吸込ダクト７７の通路長は右側の冷蔵室吸込ダクト７８の通路長よりも長くなっている。従って、同一の通路断面積及び吸込部面積では冷蔵室吸込ダクト７７の流路抵抗が冷蔵室吸込ダクト７８の流路抵抗より大きくなるため、冷蔵室前吸込口７９から吸引される冷気量は冷蔵室前吸込口８１から吸引される冷気量よりも少なくなってしまう。
【００４９】
このような吸込冷気量が冷蔵室１１の左と右とで異なると、冷蔵室１１内前部の冷却効果が左右で偏ってしまい、実施例では右よりも左が冷えなくなってしまうが、前述の如く左側の冷蔵室吸込ダクト７７の通路断面積を右側の冷蔵室吸込ダクト７８の通路断面積よりも大きく形成し、吸込部７７Ａも吸込部７８Ａより拡張して形成しているので、両ダクト７７、７８の流路抵抗が略均一化されている。従って、係る冷蔵室前吸込口７９、８１への冷気流入量が略均一化され、冷蔵室１１内を均一に冷却できるようになる。
【００５０】
次ぎに、帰還ダクト６３内に流入した冷気は、野菜室ダクト８７に流入し、そこを降下して野菜室吐出口８８より野菜室１２内に吐出される。そして、野菜室１２内を循環し、容器１８Ａ内を間接的に冷却した後、野菜室９２から吸い込まれ、下仕切壁９内に形成した野菜室吸込ダクト９１内を経て冷却室２４内の最下部に帰還する。そして、前述の如く冷却器２６の領域２６Ａに再び流入する。
【００５１】
これによって、容器１８Ａ内の野菜は乾燥が防がれた状態で＋３℃〜＋５℃程の温度に保冷されることになるが、前述の如く帰還ダクト６３には連通路８３からの冷気、即ち、氷温室１０や冷蔵室１１内を経ていない低温の冷気（冷却器２６にて冷却されたそのままの冷気）が流入しているので、仮に、冷蔵室１１や氷温室１０内の負荷が大きくなり、冷気温度が上昇したような場合にも、野菜室１２内の冷却能力は確保されることになる。
【００５２】
【発明の効果】
以上詳述した如く本発明によれば、断熱箱体内に冷凍室と冷蔵室を区画形成すると共に、冷凍室内には自動製氷機を設置し、冷蔵室内には当該自動製氷機へ給水するための給水タンクを配設して成る冷蔵庫において、給水タンクを、上面に開口したタンク本体と、このタンク本体の上面開口を閉塞するカバーと、このカバーに形成された凹陥部と、この凹陥部の底面に形成された注入口と、この注入口を開閉自在に閉塞する蓋部材とを備えて構成し、この蓋部材は、カバーに回動自在に枢支されると共に、凹陥部の内面形状に沿った凹陥形状を呈するようにしたので、給水タンクが空となって冷蔵室から取り出す際には、凹陥形状の蓋部材内に手指を挿入して引っかけ、手前に引くことにより、容易に給水タンクを引き出すことができるようになる。
【００５３】
そして、蓋部材を回動させて注入口を開放し、水をタンク本体内に補充することができるので、蓋部材の開閉操作も容易となり、注入作業性が改善される。また、補充後に蓋部材を閉めて持ち運ぶ際にも、蓋部材はカバーの凹陥部の内面に沿って位置し、注入口を閉塞しているので、注入口から搬送時の揺れなどによって水が漏れてしまうことも防止できるようになる。
【００５４】
これにより、自動製氷機用の給水タンクの取扱性が著しく改善され、利便性が向上するものである。
【図面の簡単な説明】
【図１】本発明の冷蔵庫の正面図である。
【図２】断熱扉を除く本発明の冷蔵庫の正面図である。
【図３】容器などを取り外した同じく断熱扉を除く冷蔵庫の正面図である。
【図４】本発明の冷蔵庫の縦断側面図である。
【図５】本発明の冷蔵庫のもう一つの縦断側面図である。
【図６】本発明の冷蔵庫の更にもう一つの縦断側面図である。
【図７】本発明の冷蔵庫の冷凍室の斜視図である。
【図８】本発明の冷蔵庫の冷凍室奥部の仕切板の透視正面図である。
【図９】本発明の冷蔵庫の冷却器下部の拡大縦断側面図である。
【図１０】本発明の冷蔵庫の冷却器下部のもう一つの拡大縦断側面図である。
【図１１】本発明の冷蔵庫の冷却器の正面図である。
【図１２】本発明の冷蔵庫の冷却器の平面図である。
【図１３】本発明の冷蔵庫の冷却器の側面図である。
【図１４】本発明の冷蔵庫の上仕切壁の分解斜視図である。
【図１５】本発明の冷蔵庫の上仕切壁部分の平断面図である。
【図１６】本発明の冷蔵庫の仕切前部材の縦断側面図である。
【図１７】本発明の冷蔵庫の自動製氷機用の給水タンクの分解斜視図である。
【図１８】本発明の冷蔵庫の自動製氷機用の給水タンクの縦断側面図である。
【図１９】本発明の冷蔵庫の自動製氷機用の給水タンクの縦断正面図である。
【符号の説明】
１  冷蔵庫
６  断熱箱体
７  中仕切壁
８  上仕切壁
９  下仕切壁
１０  氷温室
１１  冷蔵室
１１Ａ  冷蔵室吐出口
１２  野菜室
１３  冷凍室
１３Ａ  冷凍室吐出口
１３Ｂ、１３Ｃ  冷凍室吸込口
２１  自動製氷機
２４  冷却室
２６  冷却器
４８  氷温室ダクト
５２  給水タンク
５３  タンク本体
５４  カバー
５４  凹陥部
５６  蓋部材
５７  注入口
６３  帰還ダクト
７７、７８  冷蔵室吸込ダクト
７９、８１  冷蔵室前吸込口
８３  連通路
８７  野菜室ダクト
【図１】
0003547954.tif 000002
【図２】
0003547954.tif 000003
【図３】
0003547954.tif 000004
【図４】
0003547954.tif 000005
【図５】
0003547954.tif 000006
【図６】
0003547954.tif 000007
【図７】
0003547954.tif 000008
【図８】
0003547954.tif 000009
【図９】
0003547954.tif 000010
【図１０】
0003547954.tif 000011
【図１１】
0003547954.tif 000012
【図１２】
0003547954.tif 000013
【図１３】
0003547954.tif 000014
【図１４】
0003547954.tif 000015
【図１５】
0003547954.tif 000016
【図１６】
0003547954.tif 000017
【図１７】
0003547954.tif 000018
【図１８】
0003547954.tif 000019
【図１９】
0003547954.tif 000020